(57)【要約】【課題】特定入賞手段において、「ゴト行為」が簡単には行えないようにすることのできるパチンコ遊技機を提供すること。【解決手段】特定入賞手段１０を、球受入部１１と、この球受入部１１の近傍で揺動する受け部１４と、この受け部１４を駆動する駆動部１３とにより構成して、特定入賞手段１０が前記特定入賞条件状態にされたときには、受け部１４をその原位置から球受入部１１側へ起こして遊技球４０の入賞を許容するとともに、特定入賞条件状態が解除されたときには、受け部１４を前記原位置に倒するようにしたこと。【選択図】図３
2008036197.tif 000002
【特許請求の範囲】
【請求項１】
発射手段によって発射された遊技球が、略鉛直方向に配設された遊技盤上の遊技領域を案内されて、入賞口へ入賞したことに基づいて特定入賞条件が成立したとき、この遊技領域内に形成してある特定入賞手段を特定入賞条件状態にすることによって、前記特定入賞手段への入賞に基づいた所定の遊技価値を付与するようにしたパチンコ遊技機において、
前記特定入賞手段を、球受入部と、この球受入部の近傍で揺動して、先端が上方に揺動したとき、前記遊技球の前記球受入部内への案内を行う受け部と、この受け部を駆動する駆動部とにより構成して、
前記特定入賞手段が特定入賞条件状態にされたときには、前記受け部を原位置から上方に揺動させて、前記遊技球の球受入部内への案内を行うとともに、前記特定入賞条件状態が解除されたときには、前記受け部を前記原位置に倒すようにしたことを特徴とするパチンコ遊技機。
【発明の詳細な説明】
【技術分野】
【０００１】
本発明は、パチンコ遊技機に関し、特に、特定入賞手段によって所定数または所定量の遊技価値を付与するようにしたパチンコ遊技機に関するものである。
【背景技術】
【０００２】
パチンコ遊技機としては、出願人も種々なタイプのものを提案してきているが、近年では所謂「デジパチ式」のものが主流を占めてきている。このデジパチ式のパチンコ機は、一般的には、遊技盤に設けられた可変表示装置によって複数種類の識別情報を可変表示する表示遊技を実行し、該可変表示装置の表示結果が予め定められた特定表示態様となった場合に、特定入賞口（球受入部）に遊技球を入賞させることによって遊技者に所定の遊技価値を付与可能にするものである。
【０００３】
このようなデジパチ式パチンコ機は、例えば特許文献１にも提案されており、遊技者の興趣を高めるために、種々な工夫が凝らされてきている。
【０００４】
ところで、この種のパチンコ遊技機を大量に設置した「パチンコ遊技店」においては、最近、不正に遊技球を抜き出してしまう、所謂「ゴト行為」が再び頻発し初めてきている。この「ゴト行為」としては様々なものがあるが、最も単純には、パチンコ遊技機の前扉等をこじ開けてピアノ線等の細くて長い物を外から遊技領域内まで差し込み、パチンコ機における「特定入賞手段」である「アタッカー」等を強制的に開ける方法がある。
【特許文献１】特開２００３−２０５１０４号公報、段落００５２〜００６１
【発明の開示】
【発明が解決しようとする課題】
【０００５】
この種のパチンコ機では、図１０、そして特許文献１の段落０００７にも記載されているように、「…予め定められた特定…態様となった場合に、（本願発明で述べている球受入部に該当する）特定入賞口（２４ａ、２４ｂ）に遊技球を入賞させることによって遊技者に所定の遊技価値を付与可能」にすることが行われており、「特定入賞口（２４ａ、２４ｂ）は、…遊技球を受け入れない第１状態と受け入れる第２状態とに駆動制御され…」るものである。
【０００６】
また、特許文献１の段落００５８にも記載されているように、「前記球受入部２４ａは一般にはアタッカーと称されるものであり、ソレノイド等の駆動源の作動により、その入賞口が球の入賞し難い通常の閉状態と入賞容易な開状態とに変化し得るように構成されている…」ものである。
【０００７】
このようなパチンコ機における「特定入賞手段」である「アタッカー」は、例えば図１１にも示すように、その下端部にて本体側に開閉自在に設けてあり、球受入部を閉止する場合には、この球受入部内に立ち上がった状態になるものである。勿論、球受入部を開放する場合には、図１１中の仮想線にて示すように、遊技領域内側に倒れるものである。
【０００８】
このような「アタッカー」は、その上縁に前述したようなピアノ線の先端を掛けておき、このピアノ線を外から引けば、「アタッカー」は簡単に開けられることになる。そうなると、遊技領域内を落下してきた遊技球が、当該「アタッカー」を制御している変動表示装置等で「特定入賞条件」が整っていなくても、大量に「アタッカー」内に入ってしまうことになる。
【０００９】
このような「ゴト行為」を可能にしているのは、「アタッカー」が、その下端部にて本体側に開閉自在に設けてあるからである。つまり、上縁に掛けたピアノ線を引くことによって、「アタッカー」が開く構造に問題があると考えられるのである。
【００１０】
そこで、本発明者等は、「ゴト行為」が簡単には行えないようにするにはどうしたらよいか、について種々検討を重ねてきた結果、本発明を完成したのである。
【００１１】
すなわち、本発明の目的とするところは、特定入賞手段において、「ゴト行為」が簡単には行えないようにすることのできるパチンコ遊技機を提供することにある。
【課題を解決するための手段】
【００１２】
（手段１）
以上の課題を解決するために、本発明の採った手段は、後述する最良形態の説明中で使用する符号を付して説明すると、
「発射手段によって発射された遊技球４０が、略鉛直方向に配設された遊技盤２０上の遊技領域２１を案内されて、入賞口へ入賞したことに基づいて特定入賞条件が成立したとき、この遊技領域２１内に形成してある特定入賞手段１０を特定入賞条件状態にすることによって、特定入賞手段１０への入賞に基づいた所定の遊技価値を付与するようにしたパチンコ遊技機において、
特定入賞手段１０を、球受入部１１と、この球受入部１１の近傍で揺動して、先端１４ａが上方に揺動したとき、遊技球４０の球受入部１１内への案内を行う受け部１４と、この受け部１４を駆動する駆動部１３とにより構成して、
特定入賞手段１０が特定入賞条件状態にされたときには、受け部１４を原位置から上方に揺動させて、遊技球４０の球受入部１１内への案内を行うとともに、前記特定入賞条件状態が解除されたときには、受け部１４を前記原位置に倒すようにしたことを特徴とするパチンコ遊技機」
である。
【００１３】
すなわち、本発明に係るパチンコ遊技機では、特定入賞手段１０を、球受入部１１と、この球受入部１１の近傍で揺動して、先端１４ａが上方に揺動したとき、遊技球４０の球受入部１１内への案内を行う受け部１４と、この受け部１４を駆動する駆動部１３とにより構成したのであるが、この受け部１４の動きを次のように特定して、従来のものとは異なったものとしたものである。
【００１４】
ここで、上記あるいは以下で使用している各用語について、次のように定義する。
［特定入賞条件］；特定の入賞口に入賞した遊技球４０を検出したタイミングに応じて、中央演算処理装置で抽選を行い、その抽選に当選したことによって成立される条件、あるいは、特定の入賞口へ遊技球４０が入賞したことに応じて、例えば特定入賞手段１０を開放し、この特定入賞手段１０内へ入賞した遊技球４０が特定の領域を通過したことによって生成される条件
［遊技価値を付与する］；払出装置により遊技媒体（遊技球４０やメダル）を払い出したり、制御装置から特典を示すデータなどを出力すること
［条件に合わない遊技球］；特定入賞手段を、特定入賞条件状態（遊技球が入賞し易い状態）から通常状態（遊技球が入賞不能または困難な状態）へ移行させる契機となる条件が成立（規定数の遊技球を検出したとき、または、規定時間が経過したとき）して、例えば制御部１２が動作を開始してから完了するまでの間に、例えば球受入部１１内に入ってしまった遊技球
［原位置］；元あった場所であり、受け部１４について原位置という場合には、図３及び図４中の図示下方に示した支承部１０ｂ内のことをいう。受け部１４は、特定入賞条件が整わなかった場合に、この支承部１０ｂ内に収められており、特定入賞条件が整った場合には、この支承部１０ｂ内から起立する方向に揺動される。
【００１５】
さて、本発明に係るパチンコ遊技機において、例えば特定の入賞口に遊技球４０が入賞したり、あるいは、図示しない中央演算装置によって特定入賞条件が生成されて変動表示装置３０でその表示がなされると、本発明における特定入賞手段１０が特定入賞条件状態にされる。このときには、図３中の仮想線にて示したように、駆動部１３の作用によって、受け部１４が球受入部１１の前方で斜め上方（図３では先端が図示左方に位置する）に起こされるのであり、これにより球受入部１１の球受入部１１内側への案内面が形成されて、遊技球４０は球受入部１１内への入賞が許容される。
【００１６】
これに対して、このパチンコ遊技機において、変動表示装置３０での特定入賞条件が解除される等の条件変更がなされると、特定入賞手段１０における特定入賞条件状態が解除される。このときには、図３中の実線にて示したように、駆動部１３の作用によって、受け部１４が球受入部１１の前方下方に倒されるのであり、これにより球受入部１１側への案内面は無くなる。
【００１７】
なお、球受入部１１の下方に受け部１４が倒れ込めば、この球受入部１１は開放されたままとなるため、この球受入部１１から遊技球４０が球受入部１１内に入り込むようにみえるが、そのようなことはない。何故なら、この球受入部１１は遊技盤２０の下部で垂直に開口しているものであるから、垂直方向に落下してくる遊技球４０が球受入部１１内に飛び込む余地がないからである。
【００１８】
それよりも本発明に係る特定入賞手段１０で重要なことは、この図３の実線にて示した位置、つまり本体１０ａの前面に形成してある支承部１０ｂ内に受け部１４があると、当該パチンコ遊技機内に細くて長い物もの（ピアノ線等）を差し込んで「ゴト行為」を行おうとしても、不可能だ、ということである。つまり、ピアノ線等の「ゴト行為」で球受入部１１内に多数の遊技球４０を入れようとすれば、受け部１４の先端をピアノ線で上方に持ち上げてその状態を維持しなければならない。ところが、ピアノ線等による「ゴト行為」は、これをパチンコ遊技機内に押し込むことによってなされるものであるが、ピアノ線等を押し込むことによっては、この下向きの受け部１４を持ち上げることはできない。
【００１９】
しかも、このパチンコ遊技機においては、図１にも示すように、当該特定入賞手段１０の下方にはピアノ線を差し込むことができる部分は全くないから、ピアノ線等を使用して、受け部１４をその下側から押し上げるようなことは殆ど不可能なのである。まして、この受け部１４が、後述する最良形態でも例示するように、特定入賞手段１０の本体１０ａに形成してある支承部１０ｂ内に完全に収納されるのであれば、ピアノ線をこの受け部１４の下側に差し込むことは全く不可能となる。
【００２０】
以上のような受け部１４は、後述する各種手段のように、これと一体的な開閉部１２や案内部１５を有するものとすることができるものである。
【００２１】
従って、本発明に係るパチンコ遊技機では、特定入賞手段１０について上述したように構成したことから、この特定入賞手段１０に対して「ゴト行為」を行うことができないものとなっているのである。
【００２２】
（手段２）
上記の課題を解決するために、本発明は、さらに次の様な手段を採用することができる。すなわち、上記の本発明に係るパチンコ遊技機について、
「受け部１４を回動させる駆動部１３について、立ち上げられた受け部１４に大きな負荷が加わった場合に、この受け部１４を一旦下方に傾斜させる駆動が行えるようにした」
ことができる。勿論、受け部１４に負荷が掛かったときには、これを回動させるあるいは回動させた駆動部１３にも負荷が掛かるから、上記のような作用を発揮させるためには、この負荷を駆動部１３が、例えば電気的に検知できるようにすればよく、負荷を検知した駆動部１３が、例えば「逆回転」できるように構成すれば足りる。
【００２３】
この手段２のように構成すれば、店員等の人手を要することなく、所謂「玉詰まり」を解消することができるのである。つまり、受け部１４が、図３に示すような構成のものである場合に、起き上がらせようとした受け部１４とガラス板との間に偶々遊技球４０が挟み込まれたり、多数の遊技球４０がこの受け部１４の上に乗ったまま停まって「ダンゴ状」になることがあり得る。これらのことが実際に発生すれば、所謂遊技盤２０前面での「玉詰まり」という「トラブル」となるから、遊技者が店員を呼び出したり、店員がトラブル処理を行ったりと、設置店内が混乱する。
【００２４】
その点、この手段２のような手段を採用すれば、受け部１４に負荷が掛かったときに、この受け部１４が下方に少し下がるから、トラブルの原因となりそうな遊技球４０は落下して、直ちにかつ自動的にトラブルが解決される。
【００２５】
ところで、特許文献１の段落００６０に記載されているように、「…球受入部２４ａは、前記可変表示で特定表示態様が確定した場合に、遊技価値の付与として特別遊技状態を演出するように開閉制御される。ここで特別遊技状態とは、開状態に所定時間維持された後、閉状態に短時間戻るという開閉動作が、所定ラウンド回数（例えば１５回）を限度に繰り返し実行される状態」である。
【００２６】
そして、段落００６１に記載されているように、「所定の球数（例えば１０個）が球受入部２４ａに入賞するか、または、所定の時間（約３０秒）が経過すると球受入部２４ａの扉は閉鎖状態となる。前記所定の回数だけ一連の開閉動作が終了すると、前記特別遊技状態は終了となる」のである。
【００２７】
以上のように、パチンコ機における「特定入賞手段」は、「アタッカー」とも呼ばれているのであるが、特定入賞条件状態となった場合に開放されて遊技球を受入れ、例えば、所定の球数（例えば１０個）が入賞するか、または、所定の時間（約３０秒）が経過すると閉じ、これを例えば１０〜１５回繰り返すものである。
【００２８】
このときの入賞球の係数は、特定入賞手段が設けてある遊技盤の裏側にある無接点スイッチによって行われるのであるが、この無接点スイッチは、図３〜図５等に示すように、特定入賞手段の特定入賞口から相当奥に位置しているものである。その理由は、この無接点スイッチによって検知した遊技球を遊技盤の背面側へ処理しなければならないし、遊技盤そのものの厚さも１．５ｃｍ程度あるからである。
【００２９】
そして、この無接点スイッチによって検知されるべき遊技球は、特定入賞手段の入賞口から無接点スイッチまで転動しながら向かうのであるが、その転動に掛かる時間は最低１秒必要である。そうなると、無接点スイッチによって１０個目（規定数の最後の遊技球）が検知されたときに、特定入賞口（球受入部）内に１１個目、場合によっては１２個目の遊技球が入り込んでしまっていることがある。
【００３０】
そうなると、想定以上の賞球が払い出されてしまうことになり、遊技者には有利かもしれないが、開発者が意図しない仕様のパチンコ遊技機となってしまうため、好ましくない。
【００３１】
そこで、本発明者等は、アタッカーとも呼ばれる特定入賞手段において、入賞し得る入賞球が常に規定通りとなるようもするにはどうしたらよいか、について種々検討を重ねてきた結果、手段３を完成したのである。
【００３２】
すなわち、この手段３の目的とするところは、まず、特定入賞手段において、「ゴト行為」が簡単には行えないようにすることができて、特定入賞手段において、入賞し得る入賞球が常に規定通りとなるパチンコ遊技機を提供することにある。
【００３３】
（手段３）
以上の受け部１４を有するパチンコ遊技機については、さらに次のようにすることもできる。すなわち、
「発射手段によって発射された遊技球４０が、略鉛直方向に配設された遊技盤２０上の遊技領域２１を案内されて、入賞口へ入賞したことに基づいて特定入賞条件が成立したとき、この遊技領域２１内に形成してある特定入賞手段１０を特定入賞条件状態にすることによって、特定入賞手段１０への入賞に基づいた所定の遊技価値を付与するようにしたパチンコ遊技機において、
特定入賞手段１０を、球受入部１１と、この球受入部口１１の近傍で揺動する受け部１４と、この受け部１４を駆動する駆動部１３と、受け部１４と一体化されて、特定入賞手段１０が特定入賞条件状態にされたときには球受入部１１内へ倒れ込み、前記特定入賞条件状態が解除されて原位置に復帰したときには球受入部１１を閉止する開閉部１２とにより構成して、
特定入賞手段１０が前記特定入賞条件状態にされたときには、受け部１４をその原位置から起こして遊技球４０を受けるとともに、開閉部１２を球受入部１１の球受入部１１内へ倒して遊技球４０の入賞を許容し、特定入賞条件状態が解除されたときには、受け部１４を前記原位置に倒すことにより、開閉部１２によって球受入部１１を内側から閉止するようにしたことを特徴とするパチンコ遊技機」
である。
【００３４】
この手段３に係るパチンコ遊技機でも、その受け部１４によって「ゴト行為」が防止されている。つまり、本体１０ａの前面に形成してある支承部１０ｂ内に受け部１４があって垂下状態にあると、当該パチンコ遊技機内に細くて長い物もの（ピアノ線等）を差し込んで「ゴト行為」を行おうとすれば、受け部１４の先端をピアノ線で上方に持ち上げてその状態を維持しなければならないが、ピアノ線等を押し込むことによっては、この下向きの受け部１４を持ち上げることはできない。
【００３５】
しかも、このパチンコ遊技機においては、図１にも示すように、当該特定入賞手段１０の下方にはピアノ線を差し込むことができる部分は全くないから、ピアノ線等を使用して、受け部１４をその下側から押し上げるようなことは殆ど不可能なのである。まして、この受け部１４が、特定入賞手段１０の本体１０ａに形成してある支承部１０ｂ内に完全に収納されるのであれば、ピアノ線をこの受け部１４の下側に差し込むことは全く不可能となる。
【００３６】
以上のような受け部１４は、後述する各種手段のように、これと一体的な案内部１５を有するものとすることができるものである。
【００３７】
一方、例えば当該特定入賞手段１０内に「規定数の１０個」の遊技球４０が入賞して、これが検出センサ１７で検知されて計数されたときは、上記特定入賞条件状態が解除される。このときには、駆動部１３等によって、球受入部１１内に倒れ込んでいた開閉部１２が、球受入部１１に向けて起き上がってこれを閉じるのであるが、この際に、この開閉部１２は、次のような重要な働きをするのである。
【００３８】
すなわち、もし、上記特定入賞条件状態が解除されたときに、１１個目さらに１２個目の遊技球４０、つまり条件に合わない遊技球４０が存在していたとすると、この遊技球４０は、開閉部１２の元位置への復帰時に外へ出されるのである。何故なら、１０個目の遊技球４０が計数されたときには、１１個目の遊技球４０はまだ起き上がる前の開閉部１２上に存在しており、この開閉部１２が起き上がる際には、当該開閉部１２の起き上がり作用によって、その上に存在していた１１個目の遊技球４０が球受入部１１から遊技領域２１内に放り出されるからである。
【００３９】
以上の結果、当該特定入賞手段１０について、その特定入賞条件状態が解除されたときに、特定入賞条件に合わない（つまり１１個目である）遊技球４０が存在していたとしても、開閉部１２がこの遊技球４０を遊技領域２１内に押し出しながら閉じることにより、特定入賞条件に合わない遊技球４０が外へ出されることになって、当該パチンコ遊技機は、開発者が意図した通りの完全仕様のものとなるのである。
【００４０】
また、この開閉部１２の揺動を行うに当たっては、その揺動中心となる軸１２ａを、図３、図４、図６の（ｂ）あるいは図８の（ｂ）に示すように、球受入部１１の下側に配置するのが、これを駆動するための駆動部１３の配置や、球受入部１１内に入賞した遊技球４０の検知を行う検出センサ１７の位置関係からすると最も好ましい。
【００４１】
勿論、この開閉部１２に対しては、後述する各手段におけるように、開閉部１２と同一平面を形成する受け部１４を一体化したり、開閉部１２に案内部１５を立設したり、種々な追加を行って実施してもよい。さらには、開閉部１２に遊技球４０を積極的に案内する案内溝１６を形成して実施してもよいものである。
【００４２】
なお、このような特定入賞手段１０においては、球受入部１１内の床面は、その上に開閉部１２がくることはあっても遊技球４０が転動することは殆ど無い。換言すれば、従来のアタッカーであれば、手前側に開くものが殆どであるから、遊技球４０による汚れは球受入部１１内の床面上に付着することになって、その清掃は困難であるが、本発明の特定入賞手段１０では、遊技球４０による汚れは、起立したとき遊技盤２０と略同一平面となる開閉部１２の表面上に付着することになるから、その清掃は非常に簡単に行えることになる。
【００４３】
また、当該特定入賞手段１０の開閉部１２は、球受入部１１を閉じているときには、遊技盤２０と略同一平面を形成するから、遊技球４０の遊技領域２１内における流下の邪魔者となることはなく、パチンコ遊技をトラブルなく行え、従ってホール内店員の労力を低減することもできるのである。
【００４４】
従って、この手段３に係るパチンコ遊技機でも、特定入賞手段１０について上述したように構成したことから、この特定入賞手段１０に対して「ゴト行為」を行うことができないものとなっているだけでなく、開閉部１２による球受入部１１の閉止時に、余分に入ろうとした条件に合わない遊技球４０を開閉部１２によってはじき出してしまうから、開発者が意図した通りのものとなっているのである。
【００４５】
（手段４）
この発明に係るパチンコ遊技機は、上記の手段１〜手段３のそれについて、上述した受け部１４が斜め上方に起こされたときに、遊技球４０が球受入部１１から球受入部１１内に入り易くするために、図３または図４に示すように、起立した受け部１４上に遊技球４０を完全に乗せて、この遊技球４０を球受入部１１から球受入部１１内に入り易くする落下位置規制部１８を設けるように実施してもよい。
【００４６】
この落下位置規制部１８は、図３及び図４にも示すように、球受入部１１の直上から斜め前方に掛けて配置されるものであり、その上端部内側には、遊技球４０を遊技領域２１側に積極的に案内する案内面１８ａが形成してある。つまり、この落下位置規制部１８は、まず第１に、上方から落下してきた遊技球４０を遊技盤２０の表面側に案内するものなのである。
【００４７】
また、この落下位置規制部１８は、この受け部１４が立ち上がる際に、当該受け部１４の先端と前面枠のガラス板との間にできる隙間に、遊技球４０が詰まってしまうことを防止する機能をも有しているものである。つまり、この落下位置規制部１８は、遊技領域２１内を上方から落下してきた遊技球４０を、球受入部１１の直上にて、前面枠のガラス板側ではなく遊技盤２０の表面側に案内するものであり、遊技球４０の詰まりを防止するのである。
【００４８】
従って、この手段４に係るパチンコ遊技機は、「ゴト行為防止」ができて、遊技球４０の詰まりを防止することもできるものとなっているのである。
【発明の効果】
【００４９】
以上、詳述した通り、本発明においては、
「発射手段によって発射された遊技球４０が、略鉛直方向に配設された遊技盤２０上の遊技領域２１を案内されて、入賞口へ入賞したことに基づいて特定入賞条件が成立したとき、この遊技領域２１内に形成してある特定入賞手段１０を特定入賞条件状態にすることによって、特定入賞手段１０への入賞に基づいた所定の遊技価値を付与するようにしたパチンコ遊技機において、
特定入賞手段１０を、球受入部１１と、この球受入部１１の近傍で揺動して、先端１４ａが上方に揺動したとき、遊技球４０の球受入部１１内への案内を行う受け部１４と、この受け部１４を駆動する駆動部１３とにより構成して、
特定入賞手段１０が特定入賞条件状態にされたときには、受け部１４を原位置から上方に揺動させて、遊技球４０の球受入部１１内への案内を行うとともに、前記特定入賞条件状態が解除されたときには、受け部１４を前記原位置に倒すようにしたこと」
のしの構成上の特徴があり、これにより、特定入賞手段において、「ゴト行為」が簡単には行えないようにすることのできるパチンコ遊技機を提供することができるのである。
【発明を実施するための最良の形態】
【００５０】
次に、上記のように構成した本発明を、図面に示した最良の形態であるパチンコ遊技機について説明すると、このパチンコ遊技機は、図１に示すような遊技盤２０を備えたものであり、この遊技盤２０上には、発射手段によって発射された遊技球４０が案内される遊技領域２１が形成してある。
【００５１】
本最良形態の遊技盤２０では、図１の図示中央に変動表示装置３０が設けてあり、この変動表示装置３０は、遊技領域２１中の始動チャッカー２２内に入賞した遊技球４０によって変動表示がなされ、図示しない中央演算処理装置によって「大当たり状態」が生成されると、この変動表示装置３０にて「大当たり表示」がなされるとともに、図１の図示下方に設けてある特定入賞手段１０において、その開閉部１２の開閉操作がなされる。
【００５２】
すなわち、このパチンコ遊技機は、遊技球４０が略鉛直方向に配設された遊技盤２０上の遊技領域２１を案内されるとき、この遊技領域２１内に形成してある特定入賞手段１０によって、所定数または所定量の遊技価値を付与するようにしたものである。
【００５３】
なお、図１に示すように、このパチンコ遊技機を構成している特定入賞手段１０の図示下方にはアウト口２３が形成してあり、遊技領域２１を流下してきて始動チャッカー２２等にに入賞しなかった遊技球４０を機外に導き出す。また、この遊技盤２０の前方には、図３の（ａ）にも示すように、遊技領域２１を確保しながらガラス板が配置されることは言うまでもない。
【００５４】
特定入賞手段１０は、図１〜図４に示したように、上記遊技盤２０に形成した穴内に一部を収納しながら、その本体１０ａにて遊技盤２０に取り付けられるものであり、概略図３あるいは図４に示したような構成部品からなっている。
【００５５】
すなわち、この特定入賞手段１０は、図３〜図９に示したように、少なくとも、球受入部１１と、この球受入部１１の近傍で揺動する受け部１４と、この受け部１４を駆動する駆動部１３とにより構成したものである。換言すれば、この球受入部１１は、例えば図３に示したように、上記本体１０ａの略中央の受入口１１ａにて大きく開口するように形成したものであり、その奥に、遊技球４０を検知センサー１７側に導く送出口１１ｂを形成したのである。
【００５６】
受け部１４は、本体１０ａに設けた駆動部１３によって駆動されるものであり、図３または図４に示した最良形態では、原位置、つまり完全に垂下した状態から、図３または図４の仮想線にて示したような、本体１０ａの前方であって斜め上方に傾斜する状態へと揺動するものである。また、この受け部１４の図５〜図９に示した最良形態では、原位置、つまり本体１０ａの支承部１０ｂ内に完全に収納されて垂下した状態（図６の（ｂ）または図８の（ｂ））から、図７の（ｂ）または図９の（ｂ）にて示したような、本体１０ａの前方であって斜め上方に傾斜する状態へと揺動するものである。
【００５７】
いずれにしても、この受け部１４は、図７の（ｂ）または図９の（ｂ）にて示したような、本体１０ａの前方であって斜め上方に傾斜する状態へと揺動することにより、遊技領域２１の上方から落下してきた遊技球４０をまず受け取り、この受け取った遊技球４０を自らの傾斜状態によって球受入部１１側へと送り込むものである。そして、図３にて示した最良形態では、この受け部１４からの遊技球４０を直接球受入部１１内へ入賞させ、また、図４〜図９に示した最良形態では、この受け部１４に連続している開閉部１２上に遊技球４０を送り込むものである。
【００５８】
そして、以上のような受け部１４は、図４〜図７に示したように、これと一体的な開閉部１２を有するものとすることができるし、図８及び図９に示したように、これと一体的な開閉部１２及び案内部１５を有するものとすることができる。
【００５９】
この最良形態に係るパチンコ遊技機において、変動表示装置３０での特定入賞条件が解除される等の条件変更がなされて特定入賞条件状態が解除されると、図３中の実線にて示したように、駆動部１３の作用によって、受け部１４が球受入部１１の前方下方に倒され、球受入部１１側への案内面は無くなる。
【００６０】
本発明に係る特定入賞手段１０で重要なことは、この図３の実線にて示した位置、つまり本体１０ａの前面に形成してある支承部１０ｂ内に受け部１４があると、当該パチンコ遊技機内に細くて長い物もの（ピアノ線等）を差し込んで「ゴト行為」を行おうとしても、不可能だ、ということである。つまり、ピアノ線等の「ゴト行為」で球受入部１１内に多数の遊技球４０を入れようとすれば、受け部１４の先端をピアノ線で上方に持ち上げてその状態を維持しなければならない。ところが、ピアノ線等による「ゴト行為」は、これをパチンコ遊技機内に押し込むことによってなされるものであるが、ピアノ線等を押し込むことによっては、この下向きの受け部１４を持ち上げることはできない。
【００６１】
しかも、このパチンコ遊技機においては、図１にも示すように、当該特定入賞手段１０の下方にはピアノ線を差し込むことができる部分は全くないから、ピアノ線等を使用して、受け部１４をその下側から押し上げるようなことは殆ど不可能なのである。まして、この受け部１４が、後述する最良形態でも例示するように、特定入賞手段１０の本体１０ａに形成してある支承部１０ｂ内に完全に収納されるのであれば、ピアノ線をこの受け部１４の下側に差し込むことは全く不可能である。
【００６２】
さて、開閉部１２は、その両端に一体化してある各軸１２ａによって、本体１０ａ側に回動自在に取り付けられるものであり、この軸１２ａの近傍には、駆動部１３側のギア１３ａに噛合するギア１２ｂが一体的に形成してある。
【００６３】
この開閉部１２には、図４〜図９に示したように、これと同一平面を形成しながら上述した受け部１４が一体化されるのである。また、この開閉部１２には、図８及び図９に示したように、これと直交する案内部１５を一体化して実施されることもある。
【００６４】
また、この開閉部１２の表面には、図４、図７の（ａ）、あるいは図９の（ａ）に示したように、当該開閉部１２が球受入部１１内に倒れ込んだときに、遊技球４０を積極的に案内する案内溝１６が形成してある。この案内溝１６は、開閉部１２の幅より少し小さめの幅を有するとともに、内壁となる案内面１６ａが形成してあり、この案内溝１６によって球受入部１１内に入ってきた遊技球４０を、本体１０ａの背面側に設けてある検出センサ１７に向けて円滑に送り込むようにするものである。
【００６５】
この特定入賞手段１０の受け部１４が揺動して、球受入部１１の球受入部１１内に入賞してきた遊技球４０は、図３あるいは図４に示したように、当該特定入賞手段１０の本体１０ａの背面に設けてある検出センサ１７に向けて転動していき、この検出センサ１７によって規定数（例えば、上述しているように１０個）になるまで計数される。なお、この検出センサ１７と球受入部１１とは、本体１０ａに形成してある図示しない通路によって連通されている。
【００６６】
（その他の実施例）
上述した開閉部１２によって球受入部１１の受入口１１ａを閉止するに当たっては、ある程度まで傾斜したときに閉止動作を一時的に停止させたり、あるいは、当該閉止作動そのものを開放作動よりゆっくり行うようにすることが考えられる。このようにすることによって、外にはじき出されようとする遊技球４０が、当該開閉部１２との内壁等との間に挟まれてしまうことを防止することができる。つまり、当該パチンコ機において、「玉詰まり」というトラブル発生を防止することができるのである。
【００６７】
また、当該特定入賞手段１０を構成する制限部１２に、図７に示したような案内部１５を一体化した場合、図３または図７の（ｂ）に示したように、遊技領域２１内に突出した案内部１５の上方に、落下位置規制部１８を設けるように実施してもよい。この落下位置規制部１８は、勢いが付いた状態で遊技領域２１内を流下してきた遊技球４０の勢いを緩める機能を発揮するのであり、これにより、案内部１５の損傷を防止するのである。
【００６８】
以上のような落下位置規制部１８については、図３の（ａ）に示したように、その上端面に案内面１８ａを形成しておけば、勢いよく落下してきた遊技球４０が当該落下位置規制部１８の上端に直接当たることが防止でき、この落下位置規制部１８の破損が防止できるものである。
【００６９】
さらには、図３の（ａ）中の仮想線にて示すように、球受入部１１の前方に案内部材１９を設けておけば、遊技球４０の球受入部１１内への案内を確実にすることができる。
【図面の簡単な説明】
【００７０】
【図１】本発明に係るパチンコ遊技機を構成する遊技盤の正面図である。
【図２】同パチンコ遊技機を構成している特定入賞手段の拡大背面図である。
【図３】手段１に係るパチンコ遊技機を構成している特定入賞手段を示す部分縦断面図である。
【図４】手段２に係るパチンコ遊技機を構成している特定入賞手段を示す部分縦断面図である。
【図５】本発明に係る特定入賞手段の分解斜視図である。
【図６】本発明に係る特定入賞手段であってその開閉部が閉止状態にあるものを示すもので、（ａ）は拡大横断平面図、（ｂ）は（ａ）の拡大縦断面図である。
【図７】同特定入賞手段であってその開閉部が開放状態にあるものを示すもので、（ａ）は拡大横断平面図、（ｂ）は（ａ）の拡大縦断面図である。
【図８】同特定入賞手段の他の手段に係るものであってその開閉部が閉止状態にあるものを示すもので、（ａ）は拡大横断平面図、（ｂ）は（ａ）の拡大縦断面図である。
【図９】同特定入賞手段であってその開閉部が開放状態にあるものを示すもので、（ａ）は拡大横断平面図、（ｂ）は（ａ）の拡大縦断面図である。
【図１０】従来のパチンコ遊技機を示す正面図である。
【図１１】従来のアタッカーの代表例を示した部分縦断面図である。
【符号の説明】
【００７１】
１０    特定入賞手段
１０ａ  本体
１０ｂ  支承部
１１    球受入部
１１ａ  受入口
１１ｂ  送出口
１２    開閉部
１２ａ  軸
１３    駆動部
１３ａ  ギア
１４    受け部
１５    案内部
１６    案内溝
１６ａ  案内面
１７    検出センサ
１８    落下位置規制部
１８ａ  案内面
１９    案内部材
２０    遊技盤
２１    遊技領域
２２    始動チャッカー
２３    アウト口
３０    変動表示装置
４０    遊技球
【図１】
2008036197.tif 000003
【図２】
2008036197.tif 000004
【図３】
2008036197.tif 000005
【図４】
2008036197.tif 000006
【図５】
2008036197.tif 000007
【図６】
2008036197.tif 000008
【図７】
2008036197.tif 000009
【図８】
2008036197.tif 000010
【図９】
2008036197.tif 000011
【図１０】
2008036197.tif 000012
【図１１】
2008036197.tif 000013